(57)【要約】【課題】複数のビデオ信号の間のタイミング差を迅速、簡単且つ正確に測定する。【解決手段】表示スクリーン１０の図形表示領域１２は、横軸に水平タイミング・オフセットを表示し、縦軸に垂直タイミング・オフセットを表示する。基準指示１４は基準ビデオ信号用の指標であり、タイミング指示１６は入力ビデオ信号用の指標である。また、図形表示領域の近傍に設けられた数値表示領域１８にビデオ信号間の絶対タイミング・オフセットを表示する。【選択図】図１
2004173275.tif 000002
【特許請求の範囲】
【請求項１】
複数のビデオ信号の間のタイミング差を測定するための２次元ビデオ・タイミング表示であって、
水平タイミング・オフセットを表示する横軸、及び垂直タイミング・オフセットを表示する縦軸を有し、基準ビデオ信号用の基準指示及び入力ビデオ信号用のタイミング指示を更に有する表示スクリーン上の図形表示領域と、
上記表示スクリーン上で上記図形表示領域の近傍にて、上記複数のビデオ信号の間の絶対タイミング・オフセットを表示する数値表示領域と
を具えた２次元タイミング・オフセット表示。
【請求項２】
複数のビデオ信号の間のタイミングを測定する装置であって、
上記ビデオ信号の各々からフィールド１のライン１に対応するパルスを抽出する手段と、
２つの上記パルスの間の間隔を求める手段と、
上記ビデオ信号のビデオ標準の関数として上記間隔を分解し、水平タイミング・オフセット及び垂直タイミング・オフセットを求める手段と、
上記水平タイミング・オフセット及び上記垂直タイミング・オフセットを、上記表示スクリーン上に、図形及び数値表示領域を有するタイミング表示として表示する手段と
を具えたビデオ信号間タイミング測定装置。
【発明の詳細な説明】
【技術分野】
【０００１】
本発明は、一般に、ビデオ・タイミングに関し、特に、複数のビデオ信号の間のタイミングを迅速、簡単且つ正確にユーザが測定でき、数値リードアウトのある２次元ビデオ・タイミング表示と、ビデオ信号間タイミング測定装置に関する。
【背景技術】
【０００２】
複数のビデオ信号間のタイミングを確認する従来の方法は、波形表示や、ベクトルスコープを用いていた。関心のある信号を入力として用い、基準信号を「外部」基準ポートに供給している。まず、フィールド・レート掃引を用いて、垂直タイミングを確認する。次に、ライン・レート掃引を用いて、水平タイミングを確認する。最後に、複合システムにおいて、ＳＣＨ（subcarrier-to-horizontal：副搬送波対水平）モードを用いて、複数のカラー・フレームが正しい位置関係（アライメント）にあることを確実にし、充分な確度で、タイミングが副搬送波位相に一致しているかを調べる。
【０００３】
この従来方法は、測定に時間がかかり、難しく、エラーの可能性があった。水平及び垂直のタイミングを調べるには、波形をシフトし、特徴部分を拡大しなければならない。システムを所望のタイミングに調整して、特徴部分が確認できるように手動で表示の位置決めをしなければならない。ビデオ同期パルスの遅い立ち上がり時間のため、水平タイミングを確認は、不正確になるかもしれない。また、外部基準モードの際に、総てのモニタはＳＣＨを正確に表示できないので、カラー・フレームのアライメントに疑問が生じる。最後に、内部基準モード及び外部基準モードの間で切替を行うか、又は、複数の入力間で切替を行って、複数信号のタイミングを比較する。
【０００４】
タイミング・オフセットを求める別の方法は、外部基準に対する画像を調べる。この方法の利点は、水平及び垂直オフセットの両方を同時に示せることである。しかし、残念なことに、この方法では高い測定確度を得ることが難しく、カラー・フレーム・アライメントの確認に良好に適合しない。
【０００５】
【特許文献１】特開昭６０−１２７８９７号公報
【特許文献２】特開昭６０−２５４９２５号公報
【発明の開示】
【発明が解決しようとする課題】
【０００６】
操作者のエラーを適切に最小にした際に、カラー・フレーム・タイミングを示す確度及び機能を改善した表示と測定装置が望まれている。
【課題を解決するための手段】
【０００７】
本発明は、複数のビデオ信号の間のタイミング差を測定するための２次元ビデオ・タイミング表示であって；水平タイミング・オフセットを表示する横軸、及び垂直タイミング・オフセットを表示する縦軸を有し、基準ビデオ信号用の基準指示（１４）及び入力ビデオ信号用のタイミング指示（１６）を更に有する表示スクリーン（１０）上の図形表示領域（１２）と；表示スクリーン上で図形表示領域の近傍にて、複数のビデオ信号の間の絶対タイミング・オフセットを表示する数値表示領域（１８）とを具えている。
また、本発明は、複数のビデオ信号の間のタイミングを測定する装置であって；ビデオ信号の各々からフィールド１のライン１に対応するパルスを抽出する手段（３０、３２）と；２つのパルスの間の間隔を求める手段（３４）と；ビデオ信号のビデオ標準の関数として間隔を分解し、水平タイミング・オフセット及び垂直タイミング・オフセットを求める手段（３６）と；水平タイミング・オフセット及び垂直タイミング・オフセットを、表示スクリーン上に、図形及び数値表示領域を有するタイミング表示として表示する手段（３８）とを具えている。
【発明の効果】
【０００８】
よって、本発明は、数値リードアウト（数値表示領域）を有する２次元ビデオ・タイミング表示を提供し、ユーザ（操作者）が、迅速、容易且つ正確に、複数信号の間のタイミング差を測定できる。ラスタ表示領域内の図形表示領域は、基準ビデオ信号に対する入力ビデオ信号の垂直タイミング・オフセット及び水平タイミング・オフセットの２次元表示を提供する。この図形表示領域には、この領域の中央に基準ビデオ信号のタイミングを指示するための基準指示（インディケータ）が含まれると共に、基準ビデオ信号に対する入力ビデオ信号のタイミングを指示するタイミング指示が含まれる。数値表示領域は、図形表示領域の近傍に設けられ、１つのビデオ・クロック・サイクルに対して高確度で、入力ビデオ信号のフォーマットに応じて、適切な単位で、正確な垂直及び水平タイミング差を表示する。この数値表示領域内に、基準ビデオ信号の信号源を示してもよいし、また、２つのビデオ信号間のタイミングが所定限界を超えたときの警告をオプションとして示してもよい。色相の一致を確認するために、タイル表示に関連してベクトル表示を示して、複数のアナログ複合ビデオ信号間の詳細な副搬送波位相識別を行ってもよい。
【発明を実施するための最良の形態】
【０００９】
以下、本発明を実施するための最良の形態を説明するが、本発明の目的、利点及び他の新規な特徴は、添付図を参照した以下の詳細説明から明らかになろう。
【００１０】
図１は、本発明によるビデオ・タイミング表示（Video Timing Display）の一例を示す図である。ラスタ表示範囲（表示スクリーン）１０内の図形表示領域１２は、一方の軸に沿った垂直（Vertical）タイミングと、他方の軸に沿った水平（Horizontal）タイミングとを有する。図形表示領域１２の中央には、基準指示（インディケータ）１４が配置されて、基準ビデオ信号用の基準タイミング位置を示す。また、タイミング指示１６も示されて、基準ビデオ信号に対する入力ビデオ信号のタイミングを視覚的に描写する。数値表示（リードアウト）領域１８が図形表示領域１２の近傍に設けられ、垂直の絶対タイミング・オフセット（Vertical Offset）のリードアウト２０及び水平の絶対タイミング・オフセット（Horizontal Offset）のリードアウト２２を示す。さらに、基準ソース（信号源）指示２４も設けられて、相対的なタイミング（Timing Relative to）の基準となる基準ビデオ・ソースを示す。図形表示領域１２の水平軸は、ライン・タイミングの進み（Advance）か遅れ（Delay）となり、垂直軸タイミングは、フレームにおけるタイミングの進み（Advance）か遅れ（Delay）となる。タイミング指示１６が基準指示１４とアライン（位置が一致）すると、入力ビデオ信号が基準ビデオ信号と正確に時間的に一致する。すなわち、入力タイミングが基準と一致したときに、円（タイミング指示１６）が中央（基準指示１４）になる（Circle will be in center when input timing matches Reference）。複数のビデオ信号の間のタイミングを１つに決めるためには、入力ビデオ信号のライン及びフレーム・レートを基準ビデオ信号レートの整数倍としなければならない。
【００１１】
基準指示１４は、例えば、図形表示領域１２の中央での実線の十字形でもよいし、図形表示領域１２の全幅に伸びる点線の十字形でもよい。点線の十字形の場合、テック・マーク１３が大雑把なオフセット区分を示す。この場合、入力ビデオ信号のビデオ標準に応じて、Ｙ軸では１目盛りが１ラインであり、Ｘ軸では１目盛りが１マイクロ秒である。タイミング指示１６は、図示する円のように、任意の適切な形状でよい。
【００１２】
本実施例で示すように、水平軸の幅が１ビデオ・ラインであるので、そのスケールは、＋／−２分の１ラインである。垂直次元は、入力ビデオ信号のフォーマットに応じて変化する。インタフェースのデジタル信号の場合、垂直次元は、１フレーム（２フィールド）である。また、ＮＴＳＣ及びＰＡＬの場合、垂直次元は、１カラー・フレーム（４又は８フィールド）である。さらに、プログレッシブ信号の場合、垂直次元は、１フィールドである。
【００１３】
数値情報により、表示を拡大することなく、図形方法単独よりも一層正確な結果が得られる。これら図形表示及び数値リードアウトの両方を、水平及び垂直次元で示す。これは、タイミングの補正をどのように調整するかを表すので、ユーザにとって便利である。
【００１４】
基準ソース指示２４で示すように、入力ビデオ信号のタイミングは、外部基準ビデオ信号に対するものである。外部基準ビデオ信号がビデオ施設のタイミング標準を表す際に、これは効果的な絶対モードである。また、ユーザは、表示の基準として、他のビデオ入力を選択することもできる。この場合、第１入力ビデオ信号は、外部基準ビデオ信号と比較され、オフセットが「ベースライン」として蓄積される。その後、入力ビデオ信号をベースラインと比較できる。このモードにおいて、基準指示１４がベースライン・タイミングを表し、基準ソース指示２４が「蓄積されたベースライン」（蓄積ベースライン）を示す。後者のモードでは、絶対タイミングが重要ではないので、スイッチャへの入力をタイミング合わせするのに、このモードが有用である。重要なことは、総ての入力信号が同時に到達することである。複数の入力ビデオ信号の１つを用いて蓄積ベースラインを発生し、これら複数の入力ビデオ信号の残りを時間合わせして一致させて、この表示は、スイッチャへの信号の時間合わせを容易にする方法を提供する。
【００１５】
デジタル・スイッチャにとって、ほとんどのスイッチャにはそれらの入力でのタイミング・エラーをある程度許容するので、この表示は、必要以上に正確である。アナログの複合スイッチャでは、それ程の許容がない。アナログ・アプリケーションの場合、本発明の表示を用いて、ビデオ・クロック・サイクル内の精度が得られ、更に、ベクトルスコープ又は他の方法を用いて、副搬送波位相の非常に細かな識別を行なってもよい。これは、ベクトル表示がタイミング表示と同時表示できるので、「タイル」表示の測定機器にとって非常に都合がよい。
【００１６】
タイミング表示の他の用途は、自動化である。タイミング表示は、数値結果を与えるので、これは、タイミング・エラーを読取ることが可能であり、ユーザが仲介することなく、自動システムによって、入力ビデオ信号に対する必要なタイミング補正を行うことが可能である。これは、ビデオ制作を行うのに、大幅に時間を節約できる。
【００１７】
目盛りを追加して、厳密でない状況では、タイミングの許容範囲を示してもよい。これら目盛りは、基準指示１４の周辺の図形表示領域１２内で、小さなウィンドウ２６を示す水平及び垂直のバーでもよい。タイミング指示１６がこのボックス（ウィンドウ）内であれば、タイミングはＯＫである。許容可能なタイミング範囲が定まると、タイミングがこの範囲から外れた場合、警告を発生することができる。この警告（Timing Alarm）は、オン・スクリーン・アイコン２８のように、ＳＮＭＰ（System Network Management Protocol-Internet Engineering Task Force (IETF) Request for Comment (RFC) 1157）トラップの如き測定機器報告方法を用い、このアイコンが閉じた（黒くなった）際に、ユーザ又はその状況の自動システムに伝えてもよい。
【００１８】
図２は、本発明による２次元ビデオ・タイミング表示を行う測定装置の簡略化したブロック図である。この図２に示すように、特定実施例は、４つの部分を有する。基準ビデオ信号及び入力ビデオ信号は、タイミング抽出器３０及び３２に夫々入力する。これらタイミング抽出器は、入力するビデオ信号の夫々におけるフィールド１のライン１を検出し、この検出時点で、「ライン１フィールド１」パルスを発生する。カウンタ３４は、これら２つのビデオ信号から抽出したパルスの間の時間差を測定する。これらパルスの一方がカウンタ３４の動作を開始（スタート）させて、一般的には基準ビデオ信号検出器３０から導出したビデオ・クロック・サイクル（基準クロック）を計数する。また、これらパルスの他方がカウンタ３４の計数を停止（ストップ）させる。カウンタ３４の計数値をパーサー（parser:分解手段）３６に入力する。このパーサー３６は、入力ビデオ信号のラスタ構造から、計数値を水平及び垂直の位相進み又は遅れに分解する。パーサー３６は、入力ビデオ信号の特定のビデオ標準に関するフォーマット情報を受ける。よって、パーサー３６は、ビデオ信号のビデオ標準の関数として間隔を分解し、水平及び垂直タイミング・オフセットを求める手段である。なお、この情報は、予めロードしておいてもよいし、プロセッサから「オン・ザ・フライ（on-the-fly）」でロードしてもよい。このプロセッサは、入力ビデオ信号から標準を検出してもよいし、ユーザ・インタフェースを介して標準入力を得てもよい。例えば、特定のビデオ標準が１ライン当たりＭビデオ・クロック・サイクルで、１フィールド／フレーム当たりＮラインならば、垂直オフセットは、Ｉｎｔ（Ｃ／Ｍ）であり（Ｃ／Ｍの整数部分）、水平オフセットはＲｅｍ（Ｃ／Ｍ）である（Ｃ／Ｍの余り）。なお、Ｃは、開始及び停止の間のカウンタ３４の計数値である。ビデオ・クロック・サイクルの周期で乗算することにより、Ｒｅｍ（Ｃ／Ｍ）を時間に変換してもよい。垂直／水平レンジの半分を各求めたオフセットから減算し、その符号を調べて、タイミングの進み又は遅れを計数値から決定できる。この場合、負が遅延で、正が進みである。パーサー３６の結果を測定機器の表示器３８に供給して、ラスタ表示範囲１０内に図１に示すタイミング表示を行う。また、パーサー３６の結果は、自動システムに出力して、入力ビデオ信号に対する自動タイミング調整ができる。
【産業上の利用可能性】
【００１９】
よって、本発明は、数値リードアウトのある２次元タイミング表示を行って、ビデオ・クロック・レートのサイクル内での測定を行え、最新のデジタル・スタジオに必要な以上の測定が行える。また、タイミング表示に関連して、従来のベクトルスコープと共に用いることにより、アナログ複合ソースの色相合わせ用に一層高精度の測定が行え、最終的に細かな副搬送波位相の識別を行える。
【図面の簡単な説明】
【００２０】
【図１】本発明による２次元ビデオ・タイミング表示の平面図の一例である。
【図２】本発明による２次元ビデオ・タイミング表示を行う測定装置の簡略化したブロック図である。
【符号の説明】
【００２１】
１０  ラスタ表示範囲（表示スクリーン）
１２  図形表示領域
１３  テック・マーク
１４  基準指示
１６  タイミング指示
１８  数値表示（リードアウト）領域
２０  垂直オフセットのリードアウト
２２  水平オフセットのリードアウト
２４  基準ソース指示
２６  ウィンドウ
２８  アイコン
３０、３２  タイミング抽出器
３４  カウンタ
３６  パーサー
３８  表示器
【図１】
2004173275.tif 000003
【図２】
2004173275.tif 000004